(57)【要約】      （修正有）【課題】所定の規格に準拠するオスコネクタ同士又はメスコネクタ同士を接続可能にするコネクタアダプタを提供する。【解決手段】第１のコネクタと第２のコネクタとを接続可能にするコネクタアダプタであって、第１のコネクタと接続可能な形状を有する第一端部と、第２のコネクタと接続可能な形状を有する第二端部と、第一端部と第二端部とを連通する中空部と、を備え、第一端部と第二端部は、同一形状の端部が互いに逆向きに配置されたものである。【選択図】図３
0003234884.tif 000002
【実用新案登録請求の範囲】
【請求項１】
第１のコネクタと第２のコネクタとを接続可能にするアダプタであって、
前記第１のコネクタと接続可能な形状を有する第一端部と、
前記第２のコネクタと接続可能な形状を有する第二端部と、
前記第一端部と前記第二端部とを連通する中空部と、を備え、
前記第一端部と前記第二端部は、同一形状の端部が互いに逆向きに配置されたものである、
ことを特徴とするコネクタアダプタ。
【請求項２】
前記第１のコネクタ及び前記２のコネクタは、いずれも所定の規格に準拠した形状を有するオス側コネクタであり、
前記第一端部及び前記第二端部は、いずれも所定の規格に準拠した形状を有するメス側コネクタを含む形状である、
ことを特徴とする、請求項１に記載のコネクタアダプタ。
【請求項３】
前記第１のコネクタ及び前記２のコネクタは、いずれも所定の規格に準拠した形状を有するメス側コネクタであり、
前記第一端部及び前記第二端部は、いずれも所定の規格に準拠した形状を有するオス側コネクタを含む形状である、
ことを特徴とする、請求項１に記載のコネクタアダプタ。
【請求項４】
前記の各コネクタは医療機器に用いられるコネクタであり、前記所定の規格は、ＩＳＯ８０３６９−３である、
ことを特徴とする、請求項２または３に記載のコネクタアダプタ。
【請求項５】
全体が一部品として一体的に成形されている、
ことを特徴とする、請求項１から４のいずれか一項に記載のコネクタアダプタ。
【考案の詳細な説明】
【技術分野】
【０００１】
本考案は、医療用機器間の接続のためのコネクタに対して用いられる、コネクタアダプタに関する。
【背景技術】
【０００２】
従来から、医療用チューブなどの医療用機器同士を接続するためのコネクタについては、誤接続防止のための取り組みがなされている。このような取り組みの一環として、医療事故防止の推進、国際的な整合による安定供給のための規格の導入が進められている。
【０００３】
しかしながら、分野（例えば、経腸栄養分野）によっては患者に比較的長期間留置される製品も存在すること、医療機器を留置された患者が状態に応じて施設を移ること、などが想定されるが、全ての医療機関、施設等において新規格製品への切替えが終了するまでに一定の期間が必要となる。このことから、新規格製品への移行が完了するまでの間も患者に適切な医療を提供するため、既存規格製品と新規格製品とを接続可能とするためのアダプタが知られている（例えば、特許文献１、特許文献２等）。
【先行技術文献】
【特許文献】
【０００４】
【特許文献１】特開２０１５−５１０９２号公報
【特許文献２】特開２０１５−５１０９４号公報
【考案の概要】
【考案が解決しようとする課題】
【０００５】
ところで、現在導入が進められている規格においては、患者に接続される側（以下では、下流側ともいう）のコネクタがオス側、患者と逆側（以下では、上流側ともいう）のコネクタがメス側となる仕様である。しかしながら、上流側をメスコネクタ、下流側をオスコネクタとすべき必然性は存在せず、むしろ、例えば経腸栄養分野においては、構造上経腸栄養に係る栄養剤が下流側（即ち患者に留置される機器）のオスコネクタの内部空間に残留してしまう危険性もある。
【０００６】
このため、技術的には上流側のコネクタ形状と下流側のコネクタ形状とを入れ替えることも考えられるが、この場合には、導入が進みつつある下流側がオスコネクタである製品と、コネクタ形状を上流側と下流側で入れ替えただけの製品（即ち、下流側がメスコネクタとなる製品）とが混在することになる。
【０００７】
上記特許文献に記載されたアダプタは、既存規格製品と新規格製品とが混在する場合に、その互換性を確保することは可能であるが、新規格製品と、当該新規格製品とはコネクタ形状がオスメス逆になっている製品と、を接続可能にすることができない。
【０００８】
本考案は上記の事情に鑑みて考案されたものであり、所定の規格に準拠するオスコネクタ同士又はメスコネクタ同士を接続可能にする技術を提供することを目的とする。
【課題を解決するための手段】
【０００９】
本考案は、上述した課題を解決するために、以下の構成を採用する。すなわち、本考案は、
第１のコネクタと第２のコネクタとを接続可能にするアダプタであって、
前記第１のコネクタと接続可能な形状を有する第一端部と、
前記第２のコネクタと接続可能な形状を有する第二端部と、
前記第一端部と前記第二端部とを連通する中空部と、を備え、
前記第一端部と前記第二端部は、同一形状の端部が互いに逆向きに配置されたものである、
ことを特徴とするコネクタアダプタである。
【００１０】
これによれば、前記第一端部及び前記第二端部と適合する形状のコネクタ同士を、本考案に係るコネクタアダプタを介して接続することが可能になる。
【００１１】
また、前記第１のコネクタ及び前記第２のコネクタは、いずれも所定の規格に準拠した形状を有するオス側コネクタであり、前記第一端部及び前記第二端部は、いずれも所定の規格に準拠した形状を有するメス側コネクタを含む形状であってもよい。これによれば、所定の規格に準拠するオスコネクタ同士を、本考案に係るコネクタアダプタを介して接続することができる。
【００１２】
また、前記第１のコネクタ及び前記第２のコネクタは、いずれも所定の規格に準拠した形状を有するメス側コネクタであり、前記第一端部及び前記第二端部は、いずれも所定の規格に準拠するオス側コネクタを含む形状であってもよい。これによれば、所定の規格に準拠した形状を有するメスコネクタ同士を、本考案に係るコネクタアダプタを介して接続することができる。
【００１３】
また、前記の各コネクタは医療機器に用いられるコネクタであり、前記所定の規格は、ＩＳＯ８０３６９−３であってもよい。ＩＳＯ８０３６９−３では、上流側がメスコネクタ、下流側がオスコネクタとなっており、該規格が対象とする経腸栄養分野においては、構造上栄養剤が下流側のオスコネクタの内部空間に残留してしまう危険性もある。これは、上流側機器のコネクタ形状をオスコネクタとすることで解決可能であるため、そのように上流側のコネクタ形状を変更した場合に、患者側に留置されているコネクタがオスであったとしても、本考案に係るコネクタアダプタを用いることで、オス側のコネクタを接続することが可能となるため、好適である。
【００１４】
また、前記コネクタアダプタは全体が一部品として一体的に成形されていてもよい。これにより、コネクタアダプタの製造を簡易化することができる。
【００１５】
なお、本考案においては、可能な限り、上記の課題を解決するための手段を組み合わせて使用することができる。
【考案の効果】
【００１６】
本考案によれば、所定の規格に準拠するオスコネクタ同士又はメスコネクタ同士を接続可能にする技術を提供することができる。
【図面の簡単な説明】
【００１７】
【図１】図１Ａは、本考案の実施形態１に係るメス型アダプタの構成を示す正面図である。図１Ｂは、本考案の実施形態１に係るメス型アダプタの構成を示す右側面図である。図１Ｃは、本考案の実施形態１に係るメス型アダプタの構成を示す断面図である。
【図２】図２Ａは、本考案の実施形態１に係るメス型アダプタに接続されるオスコネクタの構成を示す第１の図である。図２Ｂは、本考案の実施形態１に係るメス型アダプタに接続されるオスコネクタの構成を示す第２の図である。図２Ｃは、本考案の実施形態１に係るメス型アダプタに接続されるオスコネクタの構成を示す第３の図である。
【図３】図３Ａは、本考案の実施形態１に係るメス型アダプタの使用態様を示す第１の図である。図３Ｂは、本考案の実施形態１に係るメス型アダプタの使用態様を示す第２の図である。
【図４】図４Ａは、本考案の実施形態２に係るオス型アダプタの構成を示す正面図である。図４Ｂは、本考案の実施形態２に係るオス型アダプタの構成を示す右側面図である。図４Ｃは、本考案の実施形態２に係るオス型アダプタの構成を示す断面図である。
【図５】図５Ａは、本考案の実施形態２に係るオス型アダプタに接続されるメスコネクタの構成を示す第１の図である。図５Ｂは、本考案の実施形態２に係るオス型アダプタに接続されるメスコネクタの構成を示す第２の図である。図５Ｃは、本考案の実施形態２に係るオス型アダプタに接続されるメスコネクタの構成を示す第３の図である。
【図６】図６Ａは、本考案の実施形態２に係るオス型アダプタの使用態様を示す第１の図である。図６Ｂは、本考案の実施形態２に係るオス型アダプタの使用態様を示す第２の図である。
【考案を実施するための形態】
【００１８】
以下、本考案の具体的な実施形態について図面に基づいて説明する。ただし、この実施形態に記載されている構成部品の寸法、材質、形状、その相対配置などは、特に記載がない限りは、この考案の範囲をそれらのみに限定する趣旨のものではない。
【００１９】
＜実施形態１＞
（メス型アダプタの構造）
図１は本実施形態に係るメス型アダプタ１の構造の概略を示す図であり、図１Ａはメス型アダプタ１の正面図、図１Ｂはメス型アダプタ１の右側面図、図１Ｃはメス型アダプタ１のＱ−Ｑ断面を示す概略断面図である。なお、以下で上下左右を表現する際は、正面図に向かって左の方向を左として記載するものとする。
【００２０】
図１Ａに示すように、メス型アダプタ１は、概略中空円筒状の形状を有しており、中央リブ部１３１を中心として、左側に第１メスコネクタ部１１０を備え、右側に第２メスコネクタ部１２０を備える、左右対称の構造となっている。
【００２１】
第１メスコネクタ部１１０、及び第２メスコネクタ部１２０のそれぞれの先端部近傍の外周には、螺状突起が設けられている。第１メスコネクタ部１１０の螺状突起が第１雄ネジ部１１１、第２メスコネクタ部１２０螺状突起が第２雄ネジ部１２１である。
【００２２】
また、図１Ｂ及び図１Ｃに示すように、メス型アダプタ１には、第１メスコネクタ部１１０と第２メスコネクタ部１２０とを連通する中空部１３０が形成されている。第１メスコネクタ部１１０及び第２メスコネクタ部１２０は、中央リブ部１３１に向かって内径が緩やかに小さくなる（即ち、先端部に向けて広がる）テーパー面となる、第１内周面１１２、第２内周面１２２を備えている。
【００２３】
第１内周面１１２及び第２内周面１２２は、さらに、中央リブ部１３１近傍において、テーパー角が大きくなる、第１中央テーパー部１１３、第２中央テーパー部１２３を備えている。
【００２４】
以上のように、本実施形態に係るメス型アダプタ１は、同一形状を有する第１メスコネクタ部１１０と第２メスコネクタ部１２０とが中央リブ部１３１を中心として、逆向きに配置された構造となっている。また、第１メスコネクタ部１１０及び第２メスコネクタ部１２０は、それぞれ、経腸栄養系の医療機器に係る国際規格のＩＳＯ８０３６９−３に準拠するものであり、後述するように、同じくＩＳＯ８０３６９−３に準拠するオスコネクタと接続可能である。即ち、本実施形態においては、第１メスコネクタ部１１０が本考案の第一端部に、第２メスコネクタ部１２０が本考案の第二端部に該当する。
【００２５】
なお、メス型アダプタ１の材質、製造方法は特に限定されないが、例えばＡＢＳ（アクリル−ブタジエン−スチレン共重合体）などの硬質樹脂を射出成型することなどにより一体成型することができる。
【００２６】
（オスコネクタの構造）
次に、図２に基づいて、上記メス型アダプタ１と接続されるオス側のコネクタの構造について説明する。図２は本実施形態に係るオスコネクタ３の構造の概略を示す図であり、図２Ａはオスコネクタ３の正面図、図２Ｂはオスコネクタ３の右側面図、図２Ｃはオスコネクタ３のＰ−Ｐ断面を示す概略断面図である。
【００２７】
図２に示すように、オスコネクタ３は、チューブ５の先端に設けられる略円筒形状のコネクタであって、概略するとオスコネクタ内筒部３５と、それを覆う形で設けられるオスコネクタ外筒部３１とを有する構成になっている。そして、オスコネクタ外筒部３１は、その内壁に螺状溝である雌ネジ部３２が形成されている。
【００２８】
オスコネクタ内筒部３５は、オスコネクタ外筒部３１の先端面から突出するオスコネクタ先端部３３を備えており、オスコネクタ先端部３３は、その外周面が先端方向に向かって外径が小さくなるオスコネクタ先端テーパー部３４となっている。また、オスコネクタ内筒部３５の外周面は、先端方向に向けて外径が小さくなるオスコネクタ内筒テーパー部３６となっている。
【００２９】
なお、オスコネクタ先端テーパー部３４は、メス型アダプタ１の第１中央テーパー部１１３及び第２中央テーパー部１２３と、同一のテーパー角で形成される。
【００３０】
上述したように、オスコネクタ３はＩＳＯ８０３６９−３に準拠するものである。即ち、ここで述べたオスコネクタ３は、メス型アダプタ１と接続されるコネクタの一例であり、ＩＳＯ８０３６９−３に準拠するオス側のコネクタでありさえすれば、メス型アダプタ１と接続して用いることができる。
【００３１】
（メス型アダプタの使用態様）
次に、メス型アダプタ１の使用態様について説明する。図３は、メス型アダプタ１の使用態様を示すための説明図である。図３Ａは、メス型アダプタ１と二つのオスコネクタ３ａ，３ｂの外観図を示しており、図３Ｂはメス型アダプタ１と二つのオスコネクタ３ａ，３ｂの断面図を示している。
【００３２】
図３に示すように、メス型アダプタ１の第１メスコネクタ部１１０と第２メスコネクタ部１２０に対して、それぞれオスコネクタ３ａ，３ｂが接続される。具体的には、第１メスコネクタ部１１０の内部空間にオスコネクタ３ａのオスコネクタ内筒部３５を挿入するとともに、第１雄ネジ部１１１と雌ネジ部３２とを螺合させることで、オスコネクタ３ａとメス型アダプタ１が接続される。同様に、第２メスコネクタ部１２０の内部空間にオスコネクタ３ｂのオスコネクタ内筒部３５を挿入するとともに、第２雄ネジ部１２１と雌ネジ部３２とを螺合させることで、オスコネクタ３ｂとメス型アダプタ１が接続される。
【００３３】
以上のように、メス型アダプタ１の両端にオスコネクタ３ａ，３ｂが接続されることによって、メス型アダプタ１を介して、二つのオスコネクタ３ａ，３ｂを接続することが可能になる。
【００３４】
＜実施形態２＞
（オス型アダプタの構造）
次に、本考案の第２の実施形態に係るオス型アダプタ２について説明する。図４は本実
施形態に係るオス型アダプタ２の構造の概略を示す図であり、図４はオス型アダプタ２の正面図、図４Ｂはオス型アダプタ２の右側面図、図４Ｃはオス型アダプタ２のＲ−Ｒ断面を示す概略断面図である。
【００３５】
図４に示すように、オス型アダプタ２は、概略円筒形状を有しており、内部を中空部２３１が連通する連通内筒部２３０と、これを覆う第１外筒部２１１及び第２外筒部２２１を有する構成となっている。また、オス型アダプタ２は、連通内筒部２３０の中央リブ部２３２を中心として左側が第１オスコネクタ部２１０、右側が第２オスコネクタ部２２０となる左右対称の構造である。
【００３６】
図４Ｂに示すように、第１外筒部２１１の内壁には第１雌ネジ部２１２が、第２外筒部２２１の内壁には第２雌ネジ部２２２が、それぞれ形成されている。
【００３７】
連通内筒部２３０の両端は、それぞれ、第１外筒部２１１の先端面、第２外筒部２２１の先端面から突出する、第１先端部２１４、第２先端部２２４を備えている。そして、第１先端部２１４、第２先端部２２４は、それぞれ外周面が先端方向に向かって外径が小さくなる第１先端テーパー部２１５、第２先端テーパー部２２５となっている。
【００３８】
また、連通内筒部２３０の第１オスコネクタ部２１０側の外周面は、第１先端部２１４側に向けて外径が小さくなるテーパー面となっており、第１内筒テーパー部２１３を構成する。同様に、第２オスコネクタ部２２０側の外周面は、第２先端部２２４側に向けて外径が小さくなるテーパー面となっており、第２内筒テーパー部２２３を構成する。
【００３９】
以上のように、本実施形態に係るオス型アダプタ２は、同一形状を有する第１オスコネクタ部２１０と第２オスコネクタ部２２０とが中央リブ部２３２を中心として、逆向きに配置された構造となっている。また、第１オスコネクタ部２１０及び第２オスコネクタ部２２０は、それぞれ、経腸栄養系の医療機器に係る国際規格のＩＳＯ８０３６９−３に準拠するものであり、後述するように、同じくＩＳＯ８０３６９−３に準拠するメスコネクタと接続可能である。即ち、本実施形態においては、第１オスコネクタ部２１０が本考案の第一端部に、第２オスコネクタ部２２０が本考案の第二端部に該当する。
【００４０】
なお、オス型アダプタ２の材質、製造方法は特に限定されないが、例えばＡＢＳ樹脂などの硬質樹脂を射出成型することなどにより一体成型することができる。
【００４１】
（メスコネクタの構造）
次に、図５に基づいて、上記オス型アダプタ２と接続されるメス側のコネクタの構造について説明する。図５は本実施形態に係るメスコネクタ４の構造の概略を示す図であり、図５Ａはメスコネクタ４の正面図、図５Ｂはメスコネクタ４の右側面図、図５Ｃはメスコネクタ４のＳ−Ｓ断面を示す概略断面図である。
【００４２】
図５に示すように、メスコネクタ４は、チューブ５の先端に設けられるコネクタであって、取っ手となる翼状部４３を備えるコネクタハウジング４１内部に概略円筒状の空間を有する構成になっている。また、コネクタハウジング４１の先端部近傍の外周には、螺状突起である雄ネジ部４２が形成されている。
【００４３】
メスコネクタ４の内部空間のチューブ側の端部には、チューブの先端開口と連通するためのチューブ接続開口４６が形成されている。また、メスコネクタ４の内部空間の内周面４４は、先端に向かうほど内径が大きくなる（即ち先端部に向けて広がる）テーパー面となっている。さらに、内周面４４は、チューブ接続開口４６近傍において、チューブ接続開口４６に向かってテーパー角が大きくなる、オス先端受け側テーパー部４５を備えてい
る。
【００４４】
なお、内周面４４のテーパー角は、オス型アダプタ２の第１内筒テーパー部２１３及び第２内筒テーパー部２２３と同じテーパー角となっている。また、オス先端受け側テーパー部４５のテーパー角は、オス型アダプタ２の第１先端テーパー部２１５及び第２先端テーパー部２２５と同じテーパー角となっている。
【００４５】
上述したように、メスコネクタ４はＩＳＯ８０３６９−３に準拠するものである。即ち、ここで述べたメスコネクタ４は、オス型アダプタ２と接続されるコネクタの一例であり、ＩＳＯ８０３６９−３に準拠するメス側のコネクタでありさえすれば、オス型アダプタ２と接続して用いることができる。
【００４６】
（オス型アダプタの使用態様）
次に、オス型アダプタ２の使用態様について説明する。図６は、オス型アダプタ２の使用態様を示すための説明図である。図６Ａは、オス型アダプタ２と二つのメスコネクタ４ａ，４ｂの外観図を示しており、図６Ｂはオス型アダプタ２と二つのメスコネクタ４ａ，４ｂの断面図を示している。
【００４７】
図６に示すように、オス型アダプタ２の第１オスコネクタ部２１０と第２オスコネクタ部２２０に対して、それぞれメスコネクタ４ａ，４ｂが接続される。具体的には、メスコネクタ４ａの内部空間にオス型アダプタ２の連通内筒部２３０を、第１先端部２１４側から挿入するとともに、雄ネジ部４２と第１雌ネジ部２１２とを螺合させることで、メスコネクタ４ａとオス型アダプタ２が接続される。同様に、メスコネクタ４ｂの内部空間にオス型アダプタ２の連通内筒部２３０を、第２先端部２２４側から挿入するとともに、雄ネジ部４２と第２雌ネジ部２２２とを螺合させることで、メスコネクタ４ｂとオス型アダプタ２が接続される。
【００４８】
以上のように、オス型アダプタ２の両端にメスコネクタ４ａ，４ｂが接続されることによって、オス型アダプタ２を介して、二つのメスコネクタ４ａ，４ｂを接続することが可能になる。
【００４９】
＜その他＞
上記の各例の説明は、本考案を例示的に説明するものに過ぎず、本考案は上記の具体的な形態には限定されない。本考案は、その技術的思想の範囲内で種々の変形及び組み合わせが可能である。
【００５０】
例えば、メス型アダプタ１、オス型アダプタ２の材質の例として、ＡＢＳ樹脂を挙げたが、本考案に係るコネクタアダプタの材質は一定程度の剛性を有するものであれば、ＡＢＳ樹脂に限られない。これ以外にも、例えば、硬質ポリ塩化ビニル、ポリカーボネート、ポリスチレン、ポリプロピレン、ポリエチレン等の材料を用いることができる。
【００５１】
また、メス型アダプタ１、オス型アダプタ２の製造方法として、射出成型による一体成型を例示したが、これに限られない。例えば、三次元データに基づいて３Ｄプリントの技術により製造してもよい。また、全て同じ材質で一体的に成形されている必要もない。
【００５２】
また、上記の各実施形態では、ＩＳＯ８０３６９−３の規格に準拠するコネクタのアダプタであったが、対応するコネクタ形状は必ずしもこれに限られない。
【符号の説明】
【００５３】
１・・・メス型アダプタ
１１０・・・第１メスコネクタ部
１１１・・・第１雄ネジ部
１１２・・・第１内周面
１１３・・・第１中央テーパー部
１２０・・・第２メスコネクタ部
１２１・・・第２雄ネジ部
１２２・・・第２内周面
１２３・・・第２中央テーパー部
１３０・・・中空部
１３１・・・中央リブ部
２・・・オス型アダプタ
２１０・・・第１オスコネクタ部
２１１・・・第１外筒部
２１２・・・第１雌ネジ部
２１３・・・第１内筒テーパー部
２１４・・・第１先端部
２１５・・・第１先端テーパー部
２２０・・・第２オスコネクタ部
２２１・・・第２外筒部
２２２・・・第２雌ネジ部
２２３・・・第２内筒テーパー部
２２４・・・第２先端部
２２５・・・第２先端テーパー部
２３０・・・連通内筒部
２３１・・・中空部
２３２・・・中央リブ部
３・・・オスコネクタ
３１・・・オスコネクタ外筒部
３２・・・雌ネジ部
３３・・・オスコネクタ先端部
３４・・・オスコネクタ先端テーパー部
３５・・・オスコネクタ内筒部
３６・・・オスコネクタ内筒テーパー部
５・・・チューブ
４・・・メスコネクタ
４１・・・コネクタハウジング
４２・・・雄ネジ部
４３・・・翼状部
４４・・・内周面
４５・・・オス先端受け側テーパー部
４６・・・チューブ接続開口
５・・・チューブ
【図１】
0003234884.tif 000003
【図２】
0003234884.tif 000004
【図３】
0003234884.tif 000005
【図４】
0003234884.tif 000006
【図５】
0003234884.tif 000007
【図６】
0003234884.tif 000008